【手続補正書】
【提出日】平成20年9月26日(2008.9.26)
【手続補正１】
【補正対象書類名】明細書
【補正対象項目名】請求項３
【補正方法】変更
【補正の内容】
【請求項３】  コモノマーＣ）がジアリルジメチルアンモニウムクロライド（ＤＡＤＭＡＣ）、［２−（メタクリロイルオキシ）エチル］トリメチルアンモニウムクロライド（ＭＡＰＴＡＣ）、［２−（アクリロイルオキシ）エチル］トリメチルアンモニウムクロライド、［２−メタクリルアミドエチル］トリメチルアンモニウムクロライド、［２−（アクリルアミド）エチル］トリメチルアンモニウムクロライド、Ｎ−メチル−２−ビニルピリジニウムクロライド、Ｎ−メチル−４−ビニルピリジニウムクロライド、ジメチルアミノエチルメタクリレート、ジメチルアミノプロピルメタクリルアミド、メタクリロイルエチル−Ｎ−オキシドおよび／またはメタクリロイルエチル−ベタインである請求項１または２に記載の剤。
【手続補正２】
【補正対象書類名】明細書
【補正対象項目名】請求項７
【補正方法】変更
【補正の内容】
【請求項７】  ポリマー性添加物Ｇ）がＮ−ビニルホルムアミド、Ｎ−ビニルアセトアミド、Ｎービニルピロリドン、エチレンオキシド、プロピレンオキシド、アクリロイルジメチルタウリン酸、Ｎ−ビニルカプロラクタム、Ｎービニルメチルアセトアミド、アクリルアミド、アクリル酸、メタクリル酸、Ｎービニルモルホリド、ヒドロキシメチルメタクリレート、ジアリルジメチルアンモニウムクロリド（ＤＡＤＭＡＣ）および／または［２−（メタアクリロイルオキシ）エチル］トリメチルアンモニウムクロライド（ＭＡＰＴＡＣ）のホモ−またはコポリマー；
ポリアルキレングリコールおよび／またはアルキルポリグリコールである請求項１〜６のいずれか一つに記載の方法。
【手続補正３】
【補正対象書類名】明細書
【補正対象項目名】請求項１３
【補正方法】変更
【補正の内容】
【請求項１３】  コポリマーが電解質塩として一価または多価酸および塩基の塩、特にナトリウム塩、カリウム塩および／またはアンモニウム塩、特に好ましくは一価の酸および／または塩基のそれらを含有する請求項１〜１２のいずれか一つに記載の剤。
【手続補正４】
【補正対象書類名】明細書
【補正対象項目名】請求項１４
【補正方法】変更
【補正の内容】
【請求項１４】  電解質として無機塩、好ましくはアンモニウム塩または金属塩、ハロゲン化物、酸化物、炭酸塩、炭酸水素塩、リン酸塩、硫酸塩および／または硝酸塩、特に好ましくは塩化ナトリウム；および／または有機塩、好ましくはアンモニウムまたは金属塩、グリコール酸、乳酸、クエン酸、酒石酸、マンデル酸、サリチル酸、アスコルビン酸、ビルビン酸、フマル酸、レチノエ酸、スルホン酸、安息香酸、麹酸、フルクト酸、リンゴ酸、グルコン酸および／またはガラクツロン酸を含有する請求項１〜１２のいずれか一つに記載の剤。
【手続補正５】
【補正対象書類名】明細書
【補正対象項目名】請求項１７
【補正方法】変更
【補正の内容】
【請求項１７】  ８０００ｍＰａｓ〜５００００ｍＰａｓの粘度を有するエマルジョン、好ましくはＯ／Ｗ型エマルジョンである請求項１〜１６のいずれか一つに記載の剤。
【手続補正６】
【補正対象書類名】明細書
【補正対象項目名】０００３
【補正方法】変更
【補正の内容】
【０００３】
化粧料の分野においては高分子電解質が増粘剤およびゲル形成剤として主な役割を果たしている。従来技術には特にポリ（メタ）アクリル酸をベースとして製造されるポリアクリル酸およびそれの水溶性コポリマーがある。可能な多岐にわたる構造およびそれに関連した多様な用途分野は特に７０年代の中頃から全世界で出願された多数の新たらしい特許文献に開示されている。
【手続補正７】
【補正対象書類名】明細書
【補正対象項目名】０００８
【補正方法】変更
【補正の内容】
【０００８】
液状の界面活性剤調製物のための公知の非イオン増粘剤は他の脂肪酸アルカノールアミドである。脂肪酸アルカノールアミドとしては実地においてはヤシ脂肪酸ジエタノールアミドを使用するのが有利である。他の脂肪酸ジエタノールアミドに比べてこのものは最も良好な増粘特性を示す。しかしながらアミン系の副生成物／不純物の存在は不都合である。ＰＥＧ６０００ー、ＰＦＧ−１２０メチルグルコースジオレエート、ＰＦＧ−１５０ペンタエリスリトールテトラステアレート、ＰＥＧ−２０メチルグルコース−セスキステアレート等の様なポリエチレングリコール誘導体は製造の際に多大な費用が掛かり（バッチからバッチに順応させるという点が欠点である）、それの一部は加工処理が複雑である（高温、多い使用量のもとでの溶融あるいは溶解）。
【手続補正８】
【補正対象書類名】明細書
【補正対象項目名】００２３
【補正方法】変更
【補正の内容】
【００２３】
コモノマーＣ）としては、選択された反応媒体中でアクリロイルジメチルタウリン酸またはそれの塩とコポリマーを生成する、カチオン電荷を有するあらゆるオレフィン性不飽和モノマーがある。この場合に得られるカチオン電荷の、鎖上の分布はランダムに、交互に、ブロック状にまたは傾斜状に存在することができる。カチオン性コモノマーＣ）はカチオン電荷をベタイン状、双性イオンまたは両性構造の状態で有するものも意味することを指摘しておく。
【手続補正９】
【補正対象書類名】明細書
【補正対象項目名】００６２
【補正方法】変更
【補正の内容】
【００６２】
巨大分子モノマーの含有量はコポリマーの総重量を基準として９９．９重量％で、好ましくは」０．５〜３０重量％および７０〜９９．５重量％の範囲内で使用する。特に１〜２０重量％および６５〜９５重量％の割合が好ましい。
【手続補正１０】
【補正対象書類名】明細書
【補正対象項目名】００６３
【補正方法】変更
【補正の内容】
【００６３】
コポリマーとしては少なくとも成分Ａ）、Ｃ）およびＤ）を共重合することによって得られるものが有利である。
【手続補正１１】
【補正対象書類名】明細書
【補正対象項目名】００６４
【補正方法】変更
【補正の内容】
【００６４】
更にコポリマーとしては少なくとも成分Ａ）、Ｃ）およびＥ）を共重合することによって得られるものが有利である。
【手続補正１２】
【補正対象書類名】明細書
【補正対象項目名】００６５
【補正方法】変更
【補正の内容】
【００６５】
更にコポリマーとしては少なくとも成分Ａ）、Ｃ）およびＦ）を共重合することによって得られるものが有利である。
【手続補正１３】
【補正対象書類名】明細書
【補正対象項目名】００６６
【補正方法】変更
【補正の内容】
【００６６】
更にコポリマーとしては少なくとも成分Ａ）、Ｂ）およびＦ）を共重合することによって得られるものが有利である。
【手続補正１４】
【補正対象書類名】明細書
【補正対象項目名】００６７
【補正方法】変更
【補正の内容】
【００６７】
更にコポリマーとしては少なくとも成分Ａ）、Ｄ）およびＦ）を共重合することによって得られるものが有利である。
【手続補正１５】
【補正対象書類名】明細書
【補正対象項目名】００６８
【補正方法】変更
【補正の内容】
【００６８】
更にコポリマーとしては少なくとも成分Ａ）およびＦ）を共重合することによって得られるものが有利である。
【手続補正１６】
【補正対象書類名】明細書
【補正対象項目名】００６９
【補正方法】変更
【補正の内容】
【００６９】
更にコポリマーとしては少なくとも成分Ａ）およびＤ）を共重合することによって得られるものが有利である。
【手続補正１７】
【補正対象書類名】明細書
【補正対象項目名】００７０
【補正方法】変更
【補正の内容】
【００７０】
更にコポリマーとしては少なくとも成分Ａ）およびＥ）を共重合することによって得られるものが有利である。
【手続補正１８】
【補正対象書類名】明細書
【補正対象項目名】００８４
【補正方法】変更
【補正の内容】
【００８４】
同様に無機系過酸化化合物、例えば（ＮＨ4 ）2 Ｓ2 Ｏ8 、Ｋ2 Ｓ2 Ｏ8 またはＨ2 Ｏ2 、場合によってはそれらと還元剤（例えばヒドロ亜硫酸ナトリウム、アスコルビン酸、硫酸鉄(II)等) 、または還元性成分として脂肪族または芳香族スルホン酸（例えばベンゼンスルホン酸、トルエンスルホン酸等）を含有するレドックス系との組合せが適している。  
【手続補正１９】
【補正対象書類名】明細書
【補正対象項目名】０１００
【補正方法】変更
【補正の内容】
【０１００】
電解質としては種々の塩の混合物も含有していてもよい。本発明の剤は電解質を一般に０．０１〜５０重量％、好ましくは０．１〜５０重量％、特に好ましくは０．５〜１０重量％の濃度で含有している。この剤は１０-5ｍｏｌ／Ｌ〜２ｍｏｌ／Ｌ、好ましくは１０-2ｍｏｌ／Ｌ〜１ｍｏｌ／Ｌ、特に好ましくは０．１ｍｏｌ／Ｌ〜０．７５ｍｏｌ／Ｌの範囲のイオン濃度を有しているのが有利である。イオン濃度Ｉは式
Ｉ＝０．５  Σ  ｃi ・ｚi 2 
（式中、ｃi は個々の種類のイオンのモル濃度ｉでありそしてｚi は各種イオンのイオン電荷である。）
で規定される。
【手続補正２０】
【補正対象書類名】明細書
【補正対象項目名】０１０５
【補正方法】変更
【補正の内容】
【０１０５】
本発明の剤はアニオン性、カチオン性、非イオン性、双性イオンおよび／または両性界面活性剤を含有している。